(57)【要約】【課題】折り曲げ等、形状を変えることが可能で、柔らかなタッチ感を有するクッション性構造体およびその製造方法を提供する。【解決手段】平板で塑性変形可能な金属網状体１１を含む芯材１とクッション性を有する軟質樹脂２とからなる構造体であって、該芯材１は該軟質樹脂２中に埋設されるとともに、上記軟質樹脂２と一体化して塑性変形可能とされたクッション性構造体Ａ、およびその製造方法。好ましくは、上記芯材１が金属網状体１１に、さらに不織布１２を積層して構成される。【選択図】図４
2006035473.tif 000002
【特許請求の範囲】
【請求項１】
平板で塑性変形可能な金属網状体を含む芯材とクッション性を有する軟質樹脂とからなる構造体であって、該芯材は該軟質樹脂中に埋設されるとともに、上記軟質樹脂と一体化して塑性変形可能とされたクッション性構造体。
【請求項２】
上記芯材が金属網状体に、さらに不織布を積層してなる請求項１に記載のクッション性構造体。
【請求項３】
上記金属網状体がステンレススチール網である請求項１に記載のクッション性構造体。
【請求項４】
型枠に未硬化の２液常温硬化型軟質樹脂の一部を混合後注型するとともに、硬化反応進行中に塑性変形可能な芯材を載置し、ついで未硬化の２液常温硬化型軟質樹脂の残量を混合後注型し、硬化反応終了後離型して、上記芯材が軟質樹脂中に埋設一体化されてなるクッション性構造体の製造方法。
【発明の詳細な説明】
【技術分野】
【０００１】
本発明は、クッション性構造体に関する。さらに詳しくは、塑性変形可能なクッション性構造体およびその製造方法に関する。
【背景技術】
【０００２】
通常、浴槽はＦＲＰやステンレス鋼等の硬質素材で形成されているため、入浴時の肌触りをよくし、リラックスして入浴を楽しめるように、あるいは高齢者や体の不自由な人が入浴する際の安全面の配慮等から、浴槽内でクッション性構造体を背もたれとして使用することが、従来、行なわれている。上記クッション性構造体Ｃとしては、例えば、本願図６に示すものが知られており、通常、軟質層５、発泡層６、バックアップ層７を積層させた構造を有している。上記軟質層５としては、ゴム、エラストマー等、クッション性を有する材料が用いられ、芯材としては発泡層６が、また、バックアップ層７としては、ＦＲＰ、硬質樹脂等が用いられている。
【特許文献１】特開平９−２９８９７号公報（第１−３頁、第１、２図）
【発明の開示】
【発明が解決しようとする課題】
【０００３】
しかしながら、上記の構造体は複数の層から構成されているため、材料の種類が多く、また製造条件を厳密にコントロールして積層しなければならないという問題がある。さらに、各層の厚みを制御することが困難であり、折り曲げ時に、各層間に剥離が生じないように接着性をも考慮する必要がある。本発明はこのような問題を解決し、折り曲げて立体化する等、形状を変えることが可能で、柔らかなタッチ感を有するクッション性構造体、および該クッション性構造体の製造方法を提供することを、その課題とする。
【課題を解決するための手段】
【０００４】
上記課題を解決するため、本発明においては、つぎのような技術的手段を講じている。すなわち、本願第一発明によれば、平板で塑性変形可能な金属網状体を含む芯材とクッション性を有する軟質樹脂とからなる構造体であって、該芯材は該軟質樹脂中に埋設されるとともに、上記軟質樹脂と一体化して塑性変形可能とされたクッション性構造体が提供される。上記軟質樹脂としては、伸び率の高いウレタン樹脂系、ポリウレア系が好ましく、さらに、エポキシ樹脂系、不飽和ポリエステル樹脂系も好ましく使用できる。また、上記軟質樹脂の硬化後の硬度は、ＪＩＳ−Ａ法で３０〜９５が好ましい範囲とされる。
【０００５】
上記芯材が金属網状体に、さらに不織布を積層して構成されることが好ましい。不織布としては、とくに限定されず、ポリエステル製、ナイロン製、アクリル製、オレフィン樹脂製等が好ましく用いられ、また、ガラス繊維をマット状に加工した無機系不織布も使用することができる。上記不織布は、好ましくは金属網状体の上下に積層される。上記金属網状体に用いられる金属としてはとくに限定されないが、ステンレススチールが好ましく、その網糸を加工して形成されたステンレス網が好ましく用いられる。
【０００６】
さらに、本願第二発明によれば、型枠に未硬化の２液常温硬化型軟質樹脂の一部を混合後注型するとともに、硬化反応進行中に塑性変改可能な芯材を載置し、ついで未硬化の２液常温硬化型軟質樹脂の残量を混合後注型し、硬化反応終了後離型して、上記芯材が軟質樹脂中に埋設一体化されてなるクッション性構造体の製造方法が提供される。
【発明の効果】
【０００７】
請求項１に記載の本願第一発明は上記のとおりであり、平板で塑性変形可能な金属網状体を含む芯材とクッション性を有する軟質樹脂とが一体化して塑性変形可能とされているため、身体に反力が加わることなくフィットするとともに、柔らかなタッチ感のあるクッション性構造体を得ることができる。
【０００８】
上記芯材が、金属網状体に、さらに不織布を上下に積層して構成されているため、金属網状体を挟むように積層された不織布が保護層として機能し、金属網状体が破断されることを防ぐ。また、上記金属網状体としては、ステンレススチールの網糸を加工して形成されたステンレス網が用いられているため、容易に塑性変形し、例えば、平板状のクッション性構造体を折り曲げて、簡単に座席状に変えることができる。
【０００９】
請求項４に記載の本願第二発明は上記のとおりであり、型枠に未硬化の２液常温硬化型軟質樹脂の一部を混合後注型するとともに、硬化反応が進行中に芯材を載置し、ついで上記軟質樹脂の残量を混合後注型し、硬化反応終了後離型して、クッション性構造体を製造するため、簡単に作業性よく、芯材が軟質樹脂中に埋設一体化されたクッション性構造体を得ることができる。
【発明を実施するための最良の形態】
【００１０】
以下、本発明の実施形態について図面を参照して、詳細に説明する。図１は、本発明にかかるクッション性構造体Ａの構成を示す断面図である。図１から明らかなように、上記クッション性構造体Ａは、平板で塑性変形可能な金属網状体を含む芯材１を軟質樹脂２の中に埋設、一体化して形成されている。以下、上記クッション性構造体Ａについて、その製造方法にも言及しながら詳細に説明する。
【００１１】
図２は上記芯材１に用いられる金属網状体１１を示す平面図である。金属網状体１１としては、ステンレス網が用いられ、このステンレス網自体を芯材１として用いてもよいが、本実施形態においては、図３の分解斜視図に示すように上記金属網状体１１の上下に、さらに不織布１２を積層したものを芯材１として用いる。上記構成の芯材１を軟質樹脂２中に埋設一体化して本発明のクッション性構造体を得るのであるが、その製造方法は型枠を用いる注型法により行なわれる。
【００１２】
以下、注型法により上記クッション性構造体Ａを製造する方法について説明する。まず、図４（ａ）に示すように、型枠３に軟質樹脂２として未硬化の軟質２液常温硬化型ウレタン樹脂を混合後注型する。ついで、硬化反応が進行中に図４（ｂ）に示すように、図３に記載の金属網状体１１の上下に不織布１２を積層した芯材１を載置する。このとき、上記ウレタン樹脂の厚さは２〜１０ｍｍとされる。
【００１３】
さらに、図４（ｃ）に示すように、残りの未硬化の軟質２液常温硬化型ウレタン樹脂を混合後注型し、芯材１を埋設する。このとき、軟質樹脂２が不織布１２、金属網状体１１の繊維間、網目等を通って内部に浸透して硬化するため、芯材１と軟質樹脂２とが一体化して硬化する。硬化反応終了後、金型３から離型し、図４（ｄ）に示すように本発明のクッション性構造体Ａを得る。上記は注型法により、クッション性構造体Ａを製造する方法について説明したが、上記注型法に限定されず、スプレイアップ法、ハンドレイ法、ＲＴＭ法等により本発明にかかるクッション性構造体Ａを製造することも可能である。
【００１４】
かくして得られたクッション性構造体Ａに表面化粧を施し、椅子やソファの背もたれとして用いることができる。あるいは、図５に示すようにヘッドレストＢを延設し、浴槽４内で背もたれとして用いてもよい。このように、本発明のクッション性構造体Ａは種々の用途に応用可能である。
【図面の簡単な説明】
【００１５】
【図１】本発明にかかるクッション性構造体の構成を示す断面図である。
【図２】芯材として用いられる金属網状体を示す平面図である。
【図３】金属網状体の上下に不織布を積層して構成された芯材を示す分解斜視図である。
【図４】（ａ）型枠に未硬化の軟質２液常温硬化型ウレタン樹脂の一部を混合後注型した状態を示す断面図である。（ｂ）硬化反応進行中に芯材を載置した状態を示す断面図である。（ｃ）残りの未硬化の軟質２液常温硬化型ウレタン樹脂を混合後注型し、芯材を埋設した状態を示す断面図である。（ｄ）硬化反応終了後金型から離型して得られた本発明にかかるクッション性構造体を示す断面図である。
【図５】本発明にかかるクッション性構造体にヘッドレストを延設して浴槽内で背もたれとして使用する状態を示す断面図である。
【図６】公知のクッション性構造体を示す断面図である。
【符号の説明】
【００１６】
Ａ          本発明にかかるクッション性構造体
Ｂ          ヘッドレスト
１          芯材
１１        金属網状体
１２        不織布
２          軟質樹脂
３          型枠
４          浴槽
Ｃ          公知のクッション性構造体
５          軟質層
６          発泡層
７          バックアップ層
【図１】
2006035473.tif 000003
【図２】
2006035473.tif 000004
【図３】
2006035473.tif 000005
【図４】
2006035473.tif 000006
【図５】
2006035473.tif 000007
【図６】
2006035473.tif 000008